(57)【要約】      （修正有）【課題】単体で自立可能な吸遮音壁を提供する。【解決手段】左右に伸縮可能な支持具Ａと、支持具Ａの伸縮動作に連動して折り畳み可能なパネル体Ｂと、を少なくとも備え、パネル体Ｂは、一面に吸音部を備える吸遮音パネル４ａ、４ｂ二枚を、前背面を入れ換えつつ、連結しろを介して連結してあり、パネル体Ｂの折り畳み時には、何れか一方の吸遮音パネル４ａ、４ｂの吸音部を、連結しろによる吸遮音パネル４ａ、４ｂ間の隙間に配して、各吸遮音パネルを略平行に折り畳み可能とした。【選択図】図１
2013231280.tif 000002
【特許請求の範囲】
【請求項１】
左右に伸縮可能な支持具と、
前記支持具の伸縮動作に連動して折り畳み可能なパネル体と、を少なくとも備え、
前記パネル体は、
一面に吸音部を備える吸遮音パネル二枚を、前背面を入れ換えつつ、連結しろを介して連結してあり、
前記パネル体の折り畳み時には、
何れか一方の吸遮音パネルの吸音部を、前記連結しろによる吸遮音パネル間の隙間に配して、各吸遮音パネルを略平行に折り畳み可能としたことを特徴とする、
吸遮音壁。
【請求項２】
前記パネル体を、左右対称に二組配置してあることを特徴とする、請求項１に記載の吸遮音壁。
【請求項３】
前記支持具に、鉛直方向を軸として回転自在なクランプを設けたことを特徴とする、請求項１又は２に記載の吸遮音壁。
【請求項４】
前記支持具が、
複数の支柱と、
前記支柱の底部に設けたキャスター付きの脚部と、を少なくとも備え、
前記複数の脚部のうち、一端の脚部の背面側の一部を切り欠いてあることを特徴とする、請求項１乃至３のうち何れか１項に記載の吸遮音壁。
【請求項５】
前記複数の支柱のうち、
一端の支柱の背面に、第１の連結孔を設け、
他端の支柱の背面であって、前記第１の連結孔と異なる高さに、第２の連結孔を設け、
一方の吸遮音壁に設けた第１の連結孔と、他方の吸遮音壁に設けた第２の連結孔と、を介して連結金具で一体化可能としたことを特徴とする、
請求項４に記載の吸遮音壁。
【請求項６】
前記パネル体に、該パネル体と地表面との間の隙間を遮るスカートを設けたことを特徴とする、請求項１乃至５のうち何れか１項に記載の吸遮音壁。
【請求項７】
前記パネル体の解放側側面に、別体の吸音シートを脱着可能な取付部を設けたことを特徴とする、請求項１乃至６のうち何れか１項に記載の吸遮音壁。
【発明の詳細な説明】
【技術分野】
【０００１】
本発明は、工事現場の騒音対策等に使用可能な、自立式の吸遮音壁に関する。
【背景技術】
【０００２】
出願人は、以前、工場や工事現場の騒音対策に用いる吸遮音部材として、特許文献１に記載の吸遮音パネルを開発した。
この吸遮音パネルは、合成樹脂発泡体からなる吸音材の一面を多孔シートで被覆し、他面を遮音シートで被覆したパネルである。
この吸遮音パネルは、従来製品と比較して軽量性と吸音性を高いレベルで両立しており、好評を博している。
【０００３】
この吸遮音パネルは、予め組み立てられた取り付け用構造物に結合することによって吸遮音壁を構築する。
したがって、作業現場では、取り付け用構造物の搬入・組み立て作業と、吸遮音パネルの搬入・結合作業を個別に行う必要がある。
そこで、作業性の向上を目的として、前記取り付け用構造物を用いずに、単体で自立可能な吸遮音壁の開発ニーズがある。
【先行技術文献】
【特許文献】
【０００４】
【特許文献１】特開２０１１−１８４９１２号公報
【発明の概要】
【発明が解決しようとする課題】
【０００５】
この自立式吸遮音壁の開発にあたり、以下のような課題が存在する。
（１）運搬性の観点
吸遮音パネルのみの運搬時と比較して、無駄に容積が増加せずコンパクトな状態で運搬したい。
（２）施工性の観点
運搬時のコンパクトな状態から簡単に搬入・展開して設置可能な構造としたい。
（３）移動性の観点
自立後であっても、簡単に移動可能な構造としたい。
（４）安全性の観点
従来の取り付け用構造物と同等の安定性を確保したい。
また、状況に応じて、安定性を高める装置を別途追加できる構造としたい。
（５）兼用性の観点
各吸遮音パネルの連結にあたって、自立機能が障害とならないようにしたい。
（６）吸遮音性の観点
吸遮音性の確保に、自立機能が障害とならないようにしたい。
また、状況に応じて、吸遮音性を高める装置を別途追加できる構造としたい。
【課題を解決するための手段】
【０００６】
前記課題を解決すべく、本願発明は、左右に伸縮可能な支持具と、前記支持具の伸縮動作に連動して折り畳み可能なパネル体と、を少なくとも備え、前記パネル体は、一面に吸音部を備える吸遮音パネル二枚を、前背面を入れ換えつつ、連結しろを介して連結してあり、前記パネル体の折り畳み時には、何れか一方の吸遮音パネルの吸音部を、前記連結しろによる吸遮音パネル間の隙間に配して、各吸遮音パネルを略平行に折り畳み可能としたことを特徴とする、吸遮音壁を提供する。
【０００７】
また、前記発明において、前記パネル体を、左右対称に二組配置してもよい。
また、前記発明において、前記支持具に、鉛直方向を軸として回転自在なクランプを設けてもよい。
また、前記発明において、前記支持具が、複数の支柱と、前記支柱の底部に設けたキャスター付きの脚部と、を少なくとも備え、前記複数の脚部のうち、一端の脚部の背面側の一部を切り欠いてもよい。
また、前記発明において、前記複数の支柱のうち、一端の支柱の背面に、第１の連結孔を設け、他端の支柱の背面であって、前記第１の連結孔と異なる高さに、第２の連結孔を設け、一方の吸遮音壁に設けた第１の連結孔と、他方の吸遮音壁に設けた第２の連結孔と、を介して連結金具で一体化可能としてもよい。
また、前記発明において、前記パネル体に、該パネル体と地表面との間の隙間を遮るスカートを設けてもよい。
また、前記発明において、前記パネル体の解放側側面に、別体の吸音シートを脱着可能な取付部を設けてもよい。
【発明の効果】
【０００８】
本願発明によれば、自立機能を有するだけでなく、以下に記載する効果のうち、少なくとも何れか一つの効果を有する、吸遮音壁を提供することができる。
（１）運搬性の観点
従来の吸遮音パネルを多重に積み上げた場合とほぼ変わらない容積で運搬可能である。
（２）施工性の観点
運搬時のコンパクトな状態から簡単に搬入・展開して設置できる。
（３）移動性の観点
自立後であっても、簡単に移動可能できる。
（４）安全性の観点
従来の取り付け用構造物と同等の安定性を確保できる。
また、状況に応じて、安定性を追加的に付与できる。
（５）兼用性の観点
各吸遮音パネルの連結にあたって、自立機能が障害とならない。
（６）吸遮音性の観点
吸遮音性の確保に、自立機能が障害とならない。
また、状況に応じて、吸遮音性を追加的に付与できる。
【図面の簡単な説明】
【０００９】
【図１】第１実施例に係る吸遮音壁の基本構成を示す概略斜視図。
【図２】吸遮音パネルの構成例を示す概略斜視図。
【図３】図１に係る吸遮音壁を展開した状態を示す概略平面図。
【図４】図３に係る吸遮音壁を折り畳んだ状態を示す概略平面図。
【図５】第２実施例に係る吸遮音壁の一部斜視図。
【図６】図５に係る吸遮音壁を展開した状態を示す概略平面図。
【図７】図６に係る吸遮音壁を折り畳んだ状態を示す概略平面図。
【図８】第３実施例に係る吸遮音壁の一部概略図。
【図９】第４実施例に係る吸遮音壁の一部概略図。
【図１０】第５実施例に係る吸遮音壁の一部概略図。
【図１１】第６実施例に係る吸遮音壁の一部概略図。
【図１２】第７実施例に係る吸遮音壁の一部概略図。
【発明を実施するための形態】
【００１０】
以下、各図面を参照しながら、本発明に係る吸遮音壁の実施例について説明する。
【実施例１】
【００１１】
＜１＞基本構成
図１は、第１実施例に係る吸遮音壁の基本構成を示す概略斜視図である。
本発明の吸遮音壁は、左右に伸縮可能な支持具Ａと、前記支持具Ａの伸縮動作に連動して折り畳み可能なパネル体Ｂと、を少なくとも備える。
【００１２】
＜２＞支持具
支持具Ａは、前記パネル体Ｂを折り畳み及び展開可能に支持するための部材である。
支持具Ａは、複数本の支柱１と、前記支柱の底部に設けた脚部２とを少なくとも備える。
【００１３】
＜２．１＞支柱
支柱１は、前記パネル体Ｂを支持するための部材である。
支柱１の素材は、アルミや鉄などを用いることができる。
なお、支柱１の重心を地表に近い箇所にしておけば、支持具Ａ全体の安定性を高めることができる。
【００１４】
＜２．２＞脚部
脚部２は、前記支柱１が立設した状態を安定保持するための部材である。
脚部２には、キャスター２１を設けておき、支持具Ａ全体を移動可能とすることが望ましい。
脚部２は、前記パネル体Ｂの平面方向と交差する方向、例えば直角方向に延伸した構成とすれば、支持具Ａ全体の安定性を高めることができる。
【００１５】
＜２．３＞支持具の動作
支持具Ａは、左右に伸縮可能に構成する。この伸縮機構の一例としては、支柱１間にクロス型のリンケージ３を介設する方法がある。リンケージ３の下端側は支柱１にピン固定し、リンケージ３の上端側は、支柱１上を上下方向に摺動可能な構成とする。
この構成により、支柱１間を連結した状態を維持しながら、各支柱１の接近・離隔が可能となる。
この伸縮機構は、支持具Ａの伸張時に、該支持具Ａの自立安定性の向上にも寄与しうる。
【００１６】
＜３＞パネル体
パネル体Ｂは、展開時に吸遮音機能を発揮するための部材である。
パネル体Ｂは、二枚の吸遮音パネル４（４ａ，４ｂ）からなり、各吸遮音パネル４を左右方向へ蛇腹状を呈するように複数連結して構成する。
そして、パネル体Ｂと支持具Ａとの連結箇所を、前記蛇腹における谷側部分とすれば、前記支持具Ａの伸縮動作に連動して、パネル体Ｂを折り畳み又は展開可能とすることができる。
【００１７】
＜３．１＞吸遮音パネル
前記吸遮音パネル４の具体例について説明する。
図２は、吸遮音パネルの構成例を示す概略斜視図である。
吸遮音パネル４は、平板状の部材であり、一面に吸音部を備える。
より詳細には、吸遮音パネルは、二枚のシート４１と、前記二枚のシート４の隙間からなる収納部４３に収納する吸音材４４と、を少なくとも含む。
以下、各部材の詳細について説明する。
【００１８】
＜３．１．１＞二枚のシート
二枚のシート４１は、例えば、遮音性を備える遮音シート４１ａと、透水性を備える多孔シート４１ｂの組合せとすることができる。
遮音シート４１ａ及び多孔性シート４１ｂは、それぞれ公知の材料を用いればよい。
前記二枚のシート４１は、周縁をフレーム４２等で固定する。
このとき、何れか一方のシートが、吸音材４４を収納できる隙間を形成できるだけの余裕を持たせた状態で固定する。
【００１９】
＜３．１．２＞吸音材
吸音材４４は、吸音機能を発揮するための部材である。
吸音材４４は平板状の部材であり、前記収納部４３に挿入して立設した状態を保持するようにする。
吸音材４４は、周知の部材を用いることができるが、例えば、特許文献１に記載の合成樹脂発泡体を用いることが望ましい。
【００２０】
＜３．１．３＞開口部
前記二枚のシート４１のうち何れかのシートに、前記二枚のシートの間の隙間に連絡する開口部４５を形成する。
開口部４５の形成位置は、上下左右の何れか或いはそれらの組合せを問わない。
なお、少なくとも、収納部４３を構成するシートの上部及び左右側面の何れかに開口部４５を設けておけば、吸遮音壁の起立、倒伏時の何れであっても、吸音材４４の収納が容易となる点で有益である。
また、開口部４５はファスナーなどによって開閉自在としておき、内部に収納した吸音材４４への浸水を極力回避しておくことが望ましい。
【００２１】
＜３．１．４＞排水口
前記二枚のシート４１の何れかには、吸音材４４の底部近傍に別途排水口を設けておけば、収納部の内部に水が溜まることを防止しつつ、吸音材からの排水を促進することもできる。
【００２２】
以上の構成による吸遮音パネル４は、前記吸音材４４が厚みを有するため、平面視してフレーム４２から吸音材４４が突出した構成となる。
【００２３】
＜３．２＞吸遮音パネルの連結方法
次に、複数の吸遮音パネルの連結例について説明する。
図３は、図１に係る吸遮音壁を展開した状態を示す概略平面図である。
本考案のパネル体Ｂは、まず、二枚の吸遮音パネル４（４ａ，４ｂ）を前背面を入れ換えて配置する。この状態により、吸音材４４の突出箇所が、互い違いとなる。
そして、二枚の吸遮音パネル４（４ａ，４ｂ）は、直接連結せずに、連結しろ５を介在させて間接的に連結する。
このとき、連結しろ５の幅長Ｈは、吸音材４４の突出長ｔと同等かやや大きい状態としておく。
【００２４】
＜４＞折り畳み動作
次に、吸遮音壁の折り畳み例について説明する。
図４は、図３に係る吸遮音壁を折り畳んだ状態を示す概略平面図である。
図３の状態から、パネル体Ｂの背面側（図３における下側）にある支柱１（図示せず）を内側に引き寄せることで、連結しろ５はパネル体Ｂの前面側へと移動し、各吸遮音パネル４（４ａ，４ｂ）は略９０℃回転して、平面視して一直線上にある状態から、略Λ字状を経由して、略平行に折り畳まれる状態となる。
このとき、吸遮音パネル４（４ａ，４ｂ）の吸音材が互い違いに配置してあるため、折り畳み時に吸音材４４同士が干渉することはない。
また、連結しろ５の幅長Ｈは、吸音材４４の突出長ｔと同等かやや大きい状態であることから、一方の吸遮音パネルの吸音材４ａが、他方の吸遮音パネル４ｂと干渉することもない。
【００２５】
本実施例によれば、折り畳み時の吸遮音壁の容積が、吸遮音パネル単体を積層した状態とほぼ変わらないため、自立性を得つつもコンパクトな状態を維持することができる。
【００２６】
また、吸遮音壁に別途ボルトスペーサーで形成した懸吊部（図示せず）を設けておけば、コンパクトな状態のまま、クレーンを用いた運搬が可能である。
【実施例２】
【００２７】
＜５＞四枚構成
本発明の第２実施例に係る吸遮音壁について説明する。
図５は、本発明の第２実施例に係る吸遮音壁の一部斜視図である。
本実施例に係る吸遮音壁は、第１実施例に係るパネル体Ｂを、左右対称に配置して連結した構成である。
すなわち、本実施例のパネル体Ｂは、蛇腹状に折り畳まれる四枚の吸遮音パネルからなる。
【００２８】
図６は、図５に係る吸遮音壁を展開した状態を示す概略平面図である。
両端に位置する二枚の吸遮音パネル４ａは、前面側に前記吸音材４４を設けており、中央に位置する二枚の吸遮音パネル４ｂは、背面側に吸音材４４を設けている。
【００２９】
図７は、図６に係る吸遮音壁を折り畳んだ状態を示す概略平面図である。
パネル体Ｂは、平面視して一直線上にある状態から、略Ｍ字状を経由して、略平行に折り畳まれる状態となる。
このとき、中央に位置する二枚の吸遮音パネル４ｂに設けた吸音材４４が、両端に位置する各吸遮音パネル４ａとの間の空間に位置することとなる。
【００３０】
本実施例でも、折り畳まれた吸遮音壁の容積を、吸遮音パネルを積層した状態とほぼ変わらない状態とすることができる。
【実施例３】
【００３１】
＜６＞クランプ
本発明の第３実施例に係る吸遮音壁について説明する。
図８は、第３実施例に係る吸遮音壁の一部概略図である。
本発明に係る吸遮音壁は、支持具Ａを構成する支柱に、鉛直方向を軸として回転自在なクランプ６を設けることができる。
このクランプ６は、直角に配置した吸遮音壁間の火打ち材Ｃや、支柱１間の補強材、或いは対向する吸遮音壁間の梁材、などの各種部材の固定具として兼用することができる。
【００３２】
本実施例によれば、吸遮音壁の安定性や、吸遮音壁の取扱性をより高めることができる。
【実施例４】
【００３３】
＜７＞切欠部
本発明の第４実施例に係る吸遮音壁について説明する。
図９は、第４実施例に係る吸遮音壁の一部概略図である。
本発明に係る吸遮音壁は、支持具Ａを構成する複数の脚部２のうち、一端の脚部２の背面側の一部を切り欠いておくことができる。
この切欠部２２を設けておくことで、吸遮音壁を直角に配置する際に、隣り合う脚部２の干渉を防止することができる。
【００３４】
本実施例によれば、吸遮音壁をより隙間無く連結することができ、吸遮音性を高めることができる。
【実施例５】
【００３５】
＜８＞連結孔
本発明の第５実施例に係る吸遮音壁について説明する。
図１０は、第５実施例に係る吸遮音壁の一部概略図である。
本発明に係る吸遮音壁は、一端の支柱１の背面に、第１の連結孔１１を設け、他端の支柱１の背面であって、前記第１の連結孔１１と異なる高さに、第２の連結孔１２を設けておいても良い。
この連結孔１１，１２は、隣り合う吸遮音壁間を、長短の異なる鉤状の連結金具１３を介して連結するものであるところ、例えば吸遮音壁を直角に配置した場合であっても、各連結孔１１，１２を設けた高さが異なるため、連結孔１１，１２同士が干渉することがない。
【００３６】
本実施例によれば、吸遮音壁をより隙間無く連結することができ、吸遮音性を高めることができる。
【実施例６】
【００３７】
＜９＞スカート
本発明の第６実施例に係る吸遮音壁について説明する。
図１１は、第６実施例に係る吸遮音壁の一部概略図である。
本発明に係る吸遮音壁は、前記パネル体Ｂに、該パネル体Ｂと地表面との間の隙間を遮るスカート４７を設けても良い。
スカート４７の素材は、遮音性を備えた部材が望ましい。
【００３８】
本実施例によれば、より吸遮音性を高めることができる。
【実施例７】
【００３９】
＜１０＞ストッパ
本発明の第７実施例に係る吸遮音壁について説明する。
図１２は、第７実施例に係る吸遮音壁の一部概略図である。
本発明に係る吸遮音壁は、前記支持具Ａの両端に、安定性を高めるためのストッパＤを別途設けてもよい。
このストッパＤは折り畳み可能に構成し、予め支持具Ａの両端の支柱１に取付ておいて、必要に応じて展開してもよいし、適宜脱着するようにしてもよい。
【００４０】
本実施例によれば、作業現場の環境に応じて、追加的に、安定性を付与することができる。
【符号の説明】
【００４１】
Ａ      支持具
Ｂ      パネル体
１      支柱
１１    第１の連結孔
１２    第２の連結孔
１３    連結金具
２      脚部
２１    キャスター
２２    切欠部
３      リンケージ
４      吸遮音パネル
５      連結しろ
４１ａ  遮音シート
４１ｂ  多孔シート
４２    フレーム
４３    収納部
４４    吸音材
４５    開口部
４６    排水口
４７    スカート
５      連結しろ
６      クランプ
Ｃ      火打材
Ｄ      ストッパ
【図１】
2013231280.tif 000003
【図２】
2013231280.tif 000004
【図３】
2013231280.tif 000005
【図４】
2013231280.tif 000006
【図５】
2013231280.tif 000007
【図６】
2013231280.tif 000008
【図７】
2013231280.tif 000009
【図８】
2013231280.tif 000010
【図９】
2013231280.tif 000011
【図１０】
2013231280.tif 000012
【図１１】
2013231280.tif 000013
【図１２】
2013231280.tif 000014